(57)【要約】本発明は、グレイレベルを表示するために少なくとも２つの別個の時間セグメントを含む１ビデオラスタの間に、デジタルディスプレイ装置上でビデオ画像を表示する方法に係る。装置のセルは、選択的に、オン状態又はオフ状態を取ることができる。更に、セルは、１ビデオラスタの間に数回状態を変更することができる。本発明は、セルは、各ビデオラスタ時間セグメントの間に、多くとも１回状態を変更することを特徴とする。本発明は、時間積分、及び、ビデオ画像のＲ、Ｇ、Ｂ成分の連続表示に関連する混乱を減衰又は除去することを可能にする。
2005527843.tif 000002
【特許請求の範囲】
【請求項１】
グレイレベルを表示するために少なくとも２つの別個の時間セグメントを含む１ビデオフレームの間に、デジタルディスプレイ装置上でビデオ画像を表示する方法において、
前記デジタルディスプレイ装置は、複数のセルを含み、
各セルは、選択的に、オン状態又はオフ状態をとることができ、
各セルは更に、１ビデオフレームの間に、数回状態を変更することができる、方法であって、
各セルは、前記ビデオフレームの各時間セグメントの間に多くとも１回状態を変更することを特徴とする方法。
【請求項２】
ビデオ画像の表示は、それぞれ赤、緑、及び青色の３つの画像を連続表示することにより行われ、
前記ビデオフレームは、各色に対し少なくとも２つの非連続時間セグメントを含むことを特徴とする請求項１記載の方法。
【請求項３】
各時間セグメントは、サブフィールドと称し、異なる継続時間の複数の連続サブ期間を含み、
各サブフィールドの間に、各セルは、オン状態か又はオフ状態にあることを特徴とする請求項１又は２記載の方法。
【請求項４】
同じ色に対し、前記少なくとも２つの時間セグメントは、異なる複数のサブフィールドを含むことを特徴とする請求項３記載の方法。
【請求項５】
各色に対し、前記少なくとも２つの時間セグメントの前記サブフィールドの継続時間は、前記セルのオン状態の継続時間が、逆ガンマ補正曲線に応じて増加するよう決定されることを特徴とする請求項３又は４記載の方法。
【請求項６】
各時間セグメントの前記サブフィールドの全継続時間は、前記少なくとも２つの時間セグメント全てに共通の所定値と実質的に等しいことを特徴とする請求項３乃至５のうちいずれか一項記載の方法。
【請求項７】
グレイレベルを表示するために少なくとも２つの別個の時間セグメントを含む１ビデオフレームの間にビデオ画像をデジタル表示する装置において、
前記デジタルディスプレイ装置は、複数のセルを含み、
各セルは、選択的に、オン状態又はオフ状態をとることができ、
各セルは更に、１ビデオフレームの間に、数回状態を変更することができる、装置であって、
前記装置は、前記ビデオフレームの各時間セグメントの間に多くとも１回前記セルの状態を変更させる手段を含むことを特徴とする装置。
【請求項８】
それぞれ赤、緑、及び青色の３つの画像を連続表示する手段を含み、
前記ビデオフレームは、各色に対し少なくとも２つの非連続時間セグメントを含むことを特徴とする請求項７記載の装置。
【請求項９】
前記装置は、マイクロミラーのデジタルマトリクスを含み、前記装置の各セルは、１マイクロミラーに関連付けられ、
前記装置の前記セルは、前記関連付けられるマイクロミラーが前記装置のスクリーンへの光の投写に寄与するアクティブ位置にあるときに、オン状態にあり、前記関連付けられるマイクロミラーが前記スクリーンへの前記光の投写を阻止するパッシブ位置にあるときに、オフ状態にあることを特徴とする請求項７又は８記載の装置。
【発明の詳細な説明】
【発明の詳細な説明】
【０００１】
本発明は、デジタルディスプレイ装置上にビデオ画像を表示する方法に係る。本発明は、特に、テレビ受像機又はモニタの投写及び背面投写用の装置に適用する。
【０００２】
ディスプレイ装置のうち、デジタルディスプレイ装置は、有限数の照明値をとることのできる１つ以上のセルを含む装置である。現在、この値の有限数は２であり、セルのオン状態及びオフ状態に対応する。多数のグレイレベル値を得るために、ビデオフレームの間にセルの状態を時間的に変調することが知られており、それによって、人間の目は、これらの状態の変化からもたらされる光パルスを積分することによって、中間のグレイレベルを感知することができる。
【０００３】
既知のデジタルディスプレイ装置のうち、デジタルマイクロミラーマトリクス、即ち、ＤＭＤマトリクス（ＤＭＤは、デジタルマイクロミラーデバイスの略語である）を有するデジタルディスプレイ装置がある。ＤＭＤマトリクスは、ビデオ投写に、従来から用いられている構成部品であり、これは、チップの形をなし、そのチップ上に数千の微細な鏡、即ち、マイクロミラーが取付けられ、これらは、デジタルデータに基づいて制御され、外部源から発生する光を反射する又は遮断するよう旋回することによって画像をスクリーン上に投写するよう機能する。このようなマイクロミラーマトリクスの使用に基づき、光のデジタル処理からなる技術は、「デジタルライトプロセッシング（Digital  Light  Processing）」、即ち、ＤＬＰとして知られている。
【０００４】
ＤＬＰ技術では、表示されるべき１画像画素当たりに１つのマイクロミラーが与えられる。マイクロミラーは、静止位置の両側で、２つの動作位置、即ち、アクティブ位置とパッシブ位置を示す。アクティブ位置では、マイクロミラーは、その静止位置に対して数度（約１０度）に傾けられ、それにより、外部源から発生する光は、投写レンズを介してスクリーン上に投写される。パッシブ位置では、マイクロミラーは、反対の方向に数度に傾けられ、それにより、外部源から発生する光は、光吸収器に向けられる。従って、１画素の照明期間は、関連付けられるマイクロミラーがアクティブ位置にある期間に対応する。
【０００５】
従って、マイクロミラーマトリクスに供給される光が白色光である場合、アクティブ位置にあるマイクロミラーに対応する画素は白であり、パッシブ位置にあるマイクロミラーに対応する画素は黒である。中間グレイレベルは、ＰＷＭ変調（ＰＷＭは、パルス幅変調の略語である）に対応する、スクリーン上に投写される光の時間変調によって得られる。具体的には、各マイクロミラーは、一秒間に数千回位置を変更可能である。人間の目は、これらの位置変更、或いは、位置変更による光パルスを感知しないが、位置間のパルスを積分するので、平均光レベルを知覚する。従って、人間の目によって感知されるグレイレベルは、１ビデオフレーム間にマイクロミラーがアクティブ位置にある時間に正比例する。
【０００６】
２５６のグレイレベルを得るために、例えば、ビデオフレームは、異なる重みの８つの連続的なサブ期間に分割される。これらのサブ期間は、一般的に、サブフィールドと呼ばれる。各サブフィールドの間、マイクロミラーは、アクティブ位置か又はパッシブ位置のいずれかにある。各サブフィールドの重みは、その継続時間に比例する。図１は、１ビデオフレーム内のサブフィールドの例示的な配置を示す。ビデオフレームの継続時間は、国によって１６．６又は２０ミリ秒（ｍｓ）である。一例として与えるビデオフレームは、各重み１、２、４、８、１６、３２、６４、及び１２８を有する８つのサブフィールドからなる。１画素の照明期間は、関連付けられるマイクロミラーがアクティブ位置にあるサブフィールドに対応する。人間の目は、画素照明期間を時間積分し、１ビデオフレーム間の照明期間の全継続時間に比例するグレイレベルを感知する。
【０００７】
照明期間の時間積分に関連して問題が幾つか存在する。偽輪郭の問題が、特に、対象物が２つの連続画像間で動くと出現する。この問題は、通常はほとんど知覚されないグレイレベルの移行部における暗い又は明るい帯の出現によって明らかとなる。カラー装置の場合は、これらの帯には色がついている。
【０００８】
偽輪郭の問題を、２つの連続画像ＩとＩ＋１のためのサブフィールドを表し、グレイレベル１２７とグレイレベル１２８間の移行部を含む図２によって説明する。この移行部は、画像Ｉと画像Ｉ＋１間で４画素移動する。図２では、縦軸は時間軸を表し、横軸は様々な画像の画素を表す。目によって行われる積分は、目は、動く対象物を追う傾向があるので、図２に示す斜線に沿って時間積分することになる。従って、目は、様々な画素から由来する情報を積分する。この積分の結果は、グレイレベル１２７と１２８間の移行の瞬間におけるゼロに等しいグレイレベルの出現によって明らかである。このゼロのグレイレベルを横断することによって、移行のレベルにおいて暗い帯が出現する。反対の場合、レベル１２８からレベル１２７に移行部が横断する場合、移行の瞬間に光の帯に対応するレベル２５５が出現する。
【０００９】
この問題に対する既知の解決策は、積分誤差を低減するために高い重みのサブフィールドを「分割する」ことにある。図３は、図２と同じ移行部を示すが、重み３２、６４、及び１２８の３つのサブフィールドの代わりに、７つの重み３２のサブフィールドを示す。この場合、積分誤差は、最大でも３２に等しいグレイレベル値である。
【００１０】
グレイレベルを異なるように分配することも可能であるが、積分誤差は依然として残る。
【００１１】
更に、全てのビデオ電化製品において、カラー画像を表示するには、３つの画像（赤、緑、及び青）を表示することを必要とする。単一のＤＭＤマトリクスを有するプロジェクタでは、これらの３つの画像は、連続的に表示される。従って、このようなプロジェクタは、赤、緑、及び青のフィルタからなる回転ホイールを有し、これらのフィルタを通して、プロジェクタのソースから発生する白色光が、ＤＭＤマトリクスに伝えられる前にフィルタリングされる。従って、ＤＭＤマトリクスは、１ビデオフレームの間に、赤、緑、及び青色の光が連続的に供給される。回転ホイールは、一般的に、６つのフィルタ（２つの赤フィルタ、２つの緑フィルタ、２つの青フィルタ）から構成され、毎秒１５０又は１８０回転、即ち、１ビデオフレーム当たり３回転の周波数で回転する。ビデオ画像のＲ、Ｇ、及びＢ成分のデジタルデータは、赤、緑、及び青色光と同期するようＤＭＤマトリクスに供給され、それにより、画像のＲ、Ｇ、及びＢ成分は、適切な光で表示される。従って、ビデオフレームは、図４に示すように、１８個の時間セグメント、即ち、各色に対して６つの時間セグメントに分割可能である。２０ｍｓのビデオフレームの場合、各セグメントの継続時間は、約１．１ｍｓである。図１に示すサブフィールドは、各色について、各色の６つの時間セグメントに分配される。例えば、高い重みのサブフィールドは、６つのエレメンタリ期間に分割され、各エレメンタリ期間は、異なる時間セグメントに関連付けられる。一方で、低い重みのサブフィールドは、その６つのセグメントのうち１つにしかない。
【００１２】
このようなタイプのプロジェクタは、色の連続表示による「色分割」としても知られる色分離欠陥を示す。この欠陥は、目が、画像内を高速に移動する動く対象物を追うといつでも可視となる。強いコントラストを示す画像の光の領域は、瞬間的に、動きの方向に沿って赤、緑、及び青の帯に分割するかのように見える。画像のＲ、Ｇ、及びＢ成分は連続表示され、視線は、動きを追う際に移動すると考えると、色は、従って、目の網膜の様々な場所で再現される。従って、これは、脳がそれらをカラー画像に積分することを阻止する。同様に、静止画像での視線の急な動きも、脳内での光パルスの積分を妨害し、実際のグレイレベルの知覚を妨げる。
【００１３】
本発明は、偽輪郭の影響の問題を低減する、或いは、除去することを可能にする、デジタルディスプレイ装置上にビデオ画像を表示する方法を提案することを目的とする。
【００１４】
本発明は更に、デジタルディスプレイ装置において色が連続表示されるときに、これらの色分離問題を制限することを可能にする、表示方法を提案することを目的とする。
【００１５】
更に、本発明では、時間積分及びビデオ画像のＲ、Ｇ、及びＢ成分の連続表示に関連する全ての外乱を減衰する又は抑制するようＤＭＤマトリクスに供給されるデジタルデータに特定のコーディングを適用することを与える。
【００１６】
本発明は、グレイレベルを表示するために少なくとも２つの別個の時間セグメントを含む１ビデオフレームの間に、デジタルディスプレイ装置上でビデオ画像を表示する方法であって、デジタルディスプレイ装置は、複数のセルを含み、各セルは、選択的に、オン状態又はオフ状態をとることができ、各セルは更に、１ビデオフレームの間に、数回状態を変更することができる。各セルは、ビデオフレームの各時間セグメントの間に多くとも１回状態を変更する。
【００１７】
ビデオ画像の表示が、デジタルディスプレイ装置において、それぞれ赤、緑、及び青色の３つの画像を連続表示することにより行われるとき、ビデオフレームは、各色に対し少なくとも２つの非連続時間セグメントを含む。
【００１８】
各時間セグメントは、異なる継続時間を有する複数の連続サブフィールドを含むことが好適であり、各サブフィールドの間に、各セルは、オン状態か又はオフ状態にある。
【００１９】
この表示方法は、特に、「時間的な途切れ」をセグメントにもたらさないようにすることが可能である。この時間的な途切れは、一般的に、時間積分の際の外乱の発生源である。
【００２０】
各色に対し、少なくとも２つの時間セグメントのサブフィールドの継続時間は、セルのオン状態の継続時間が逆ガンマ補正曲線に応じて増加するよう決定されることが好適である。
【００２１】
本発明は更に、グレイレベルを表示するために少なくとも２つの別個の時間セグメントを含む１ビデオフレームの間にビデオ画像をデジタル表示する装置であって、デジタルディスプレイ装置は、複数のセルを含み、各セルは、選択的に、オン状態又はオフ状態をとることができ、各セルは更に、１ビデオフレームの間に、数回状態を変更することができる。装置は、ビデオフレームの各時間セグメントの間に多くとも１回セルの状態を変更させる手段を含む。
【００２２】
本発明の１つの実施例によると、デジタルディスプレイ装置は、マイクロミラーのデジタルマトリクスを含む。デジタルディスプレイ装置の各セルは、１つのマイクロミラーに関連付けられる。装置のセルは、関連付けられるマイクロミラーが装置のスクリーンへの光の投写に寄与するアクティブ位置にあるときに、オン状態にあり、関連付けられるマイクロミラーがスクリーンへの光の投写を阻止するパッシブ位置にあるときに、オフ状態にある。
【００２３】
本発明の他の特徴及び利点は、添付図面を参照しながら与えられる以下の詳細な説明を読むことに明らかとなろう。
【００２４】
本発明では、ビデオフレームの各セグメントにグレイレベルのいわゆるインクリメンタルコーディングを使用することを与える。
【００２５】
このインクリメンタルコーディングは、ビデオ画像の表示の際に人間の目による時間積分に関連する外乱を形成しないよう設計される。ＤＭＤマトリクスに供給されるデジタルデータに適用されるこのコーディングに応じて、ＤＭＤマトリクスのマイクロミラーは、ビデオフレームの各セグメントの間に多くとも１回位置を変更する。従って、マイクロミラーがセグメントの始まりにおいてアクティブ位置にあり、このセグメントの間にパッシブ位置に切り替わる場合、そのマイクロミラーは、セグメントの終わりまでこの位置のままである。
【００２６】
より一般的には、本発明では、デジタルディスプレイ装置のセルは、ビデオフレームの各セグメントの間に多くとも１回状態（オン又はオフ）を変更すると言える。
【００２７】
ビデオフレームの各セグメントは、異なる重みの複数のサブフィールドを含む。前提部分に示したように、マイクロミラーは、サブフィールドの間は位置を変更しない。更に、ＤＭＤマトリクスのマイクロミラーが、セグメントの始まりにおいてアクティブ位置にあり、このセグメントの１つのサブフィールドの始まりにおいてパッシブ位置に切り替わると、そのマイクロミラーは、そのセグメントの残りのサブフィールドの間はその位置のままである。
【００２８】
このコーディングは、限られた数の可能なグレイレベルのみの表示を可能にする。Ｎ個のサブフィールドを含む１セグメントに対し、これは、最大Ｎ＋１個のグレイレベル値の表示を可能にする。しかし、一般的に「ディザリング」として呼ばれ、当業者には周知であるエラーブロードキャスティング（error  broadcasting）又はノイジング（noising）の技術が、この小さい数のグレイレベルに対し補償することを可能にする。「ディザリング」技術の原理は、需要の多いグレイレベルを表示可能な複数のグレイレベルの組合せに分解することにあり、この表示可能な複数のグレイレベルの組合せは、時間積分を介して（これらのグレイレベルは幾つかの連続画像上に表示される）又は空間積分を介して（これらのグレイレベルは関連の画素を取り囲む画像の一領域内に表示される）、スクリーン上に、その需要の多いグレイレベルに近いグレイレベルを復元する。
【００２９】
このコーディングの主な利点は、このコーディングは、セグメントにおいて如何なる「時間な途切れ」を形成しないことである。この途切れは、時間積分の際の外乱の発生源となる。時間的な途切れは、２つのオフサブフィールド（画素がゼログレイレベルを示すサブフィールド）の間の「オン」サブフィールド（画素が非ゼログレイレベルを示すサブフィールド）、又は、その逆を表す。
【００３０】
本発明の方法を説明するために、２０ｍｓ（周波数＝５０Ｈｚ）の継続時間を有し、１色当たり６つの時間セグメント、即ち、全部で１８個の時間セグメントを含むビデオフレームを考える。各時間セグメントは、約１．１ｍｓの継続時間を示す。ＤＭＤマトリクスのマイクロミラー全体のアドレッシングは、現在のＤＬＰ技術では、約９５μｓかかることを考えると、ＤＭＤマトリクスを、各色について１フレーム当たり少なくとも６０回、即ち、１セグメント当たり１０回アドレスすることが可能である。従って、６１のグレイレベル（ゼログレイレベル＋６０の非ゼログレイレベル）を含むインクリメンタルコーディングを用いる。
【００３１】
以下に示す表１は、６１個のグレイレベル値のそれぞれに、１ビデオフレームの間の照明時間の値を関連付ける。表１の第１の縦列は、グレイレベルのインデックスに対応し、第２の縦列は、１ビデオフレームの間にこれらのグレイレベルを得るために必要な照明時間（マイクロ秒）に対応し、第３の縦列は、考慮されているグレイレベルと前のグレイレベルとの照明時間（マイクロ秒）の差を表す。
【００３２】
【表１】
2005527843.tif 000003
表１では、照明時間の値は、逆ガンマ補正曲線に従うよう有利に選択されている。本文書では、逆ガンマ補正は、テレビ受像機上で視聴されることを意図する特定の画像源に存在するガンマ補正の抑制に対応する。特に、陰極線管とは対照的に、ＤＭＤマトリクスにおける入力（オリジナル画像）におけるグレイレベルと、出力（スクリーン上）におけるグレイレベルの比は、線形である。ここで、ガンマ補正が、カメラレベルにおいてソース画像に行われると考えると、逆ガンマ補正が、スクリーン上に正しい画像を得るためには、カメラから来る画像に適用されなければならない。本発明では、従って、この逆ガンマ補正は、ＤＭＤマトリクスに供給されるデジタルデータのコーディングの間に行われる。
【００３３】
表１に用いられる逆ガンマ補正曲線は、以下の式により与えられる。
【００３４】
【数１】
2005527843.tif 000004
便宜上、この表では、１つの色の６つの時間セグメントの全継続時間は、６．６６ｍｓではなく６ｍｓと考えた。この表は更に、図５に、グラフ形式で示してある。このグラフからも、この表において決められた照明時間は、逆ガンマ補正曲線に実際に従うことがすぐに分かる。
【００３５】
各グレイレベルの照明時間は、各色について、６つの時間セグメントに分配される。本発明では、この照明時間は、各時間セグメントの間にマイクロミラーが多くとも１回位置を変更するので、各時間セグメントにおける可変継続時間を有する多くと１つの光パルスによって再現される。
【００３６】
２つの連続するグレイレベル間の照明時間の差は、ビデオフレームの６つの時間セグメントのうち１つに関連付けられる。従って、所与のグレイレベルに対し、このグレイレベルとすぐ下のグレイレベルとの照明時間の差に対応する追加の照明時間は、ビデオフレームの単一のセグメントにおいて行われる。表２は、各グレイレベルの追加の照明時間の位置を示す。表２は、そのインデックスによってラベル付けされる各グレイレベルに対し、追加の照明時間が行われるセグメントをより正確に示す。
【００３７】
【表２】
2005527843.tif 000005
表２は、例えば、グレイレベルＮＧ２８は、グレイレベルＮＧ２７に対し、ビデオフレームの第４のセグメントの照明時間を増加することによって得られることを示す。
【００３８】
すぐ下のグレイレベルに対する各グレイレベルの追加の照明時間は、以下の表３に示す。
【００３９】
【表３】
2005527843.tif 000006
上述した例に戻るに、表３では、グレイレベルＮＧ２８は、グレイレベルＮＧ２７に対し第４のセグメントの照明時間を９１．５１μｓ増加することによって得られることが示される。
【００４０】
しかし、グレイレベルＮＧ２、ＮＧ３、及びＮＧ４についての追加の照明時間は、１２μｓ（現在のＤＬＰ技術におけるマイクロミラーの最小切替え時間）より小さいことに注目されたい。これらのグレイレベル（表２及び表３に太字で示す）は、従って、１時間セグメントの間に１２μｓより短い照明時間を得ることができない限りは、インクリメンタルコードによってコード化することができない。
【００４１】
従って、グレイレベルＮＧ２、ＮＧ３、及びＮＧ４は、従来のコードによってコード化される。従って、それらの照明時間（１２μｓより大きい）は、グレイレベルＮＧ１と同様に単一のセグメントの間で実行される。下記の表４に太字で示すレベルＮＧ１、ＮＧ２、ＮＧ３、及びＮＧ４の照明時間は、従って、グレイレベルＮＧ０に対し決められた追加の照明時間である。
【００４２】
【表４】
2005527843.tif 000007
従って、本発明では、グレイレベルは、表５に示すようにコード化される。表５は、最初の１５個のグレイレベルと最後の２個のグレイレベルに対する照明時間と、６つの時間セグメントでの照明時間の分配を与える。
【００４３】
【表５】
2005527843.tif 000008
表４を参照するに、各色の６つの時間セグメントの１０個のサブフィールド（１時間セグメント当たりに１０個のアドレッシング）の継続時間を決定することが可能である。例えば、第１のセグメントは、それぞれ１８１．３５μｓ、１６１．３９μｓ、１４１．４２μｓ、１２１．４６μｓ、１０１．４９μｓ、８１．５３μｓ、６２．５６μｓ、４１．５９μｓ、２１．６３μｓ、及び１２μｓの継続時間を有する１０個のサブフィールドからなる。第１の時間セグメントにおけるサブフィールドの配置を、図６に示す。
【００４４】
継続時間１２μｓのサブフィールド（セグメント１）と、継続時間１６．９９μｓのサブフィールド（セグメント２）と、継続時間２５．３１μｓのサブフィールド（セグメント３）は、他のサブフィールドと同時に「オン」になることはなく、グレイレベルＮＧ１、ＮＧ２、及びＮＧ３を表示するためだけに機能する。
【００４５】
グレイレベルＮＧ１、ＮＧ２、及びＮＧ３以外の全てのグレイレベルについては、考慮されるマイクロミラーは、これらの３つのサブフィールドの始まりにおいて静止位置に切り替わって戻る。従って、全てのグレイレベルに対して、マイクロミラーは、ビデオフレームの各時間セグメントの間に多くとも１回パッシブ位置からアクティブ位置（又はその反対）に切り替わる。
【００４６】
更に、色分離（即ち、色分割）の問題を目立たせないために、照明時間は、最も高いグレイレベルに対しては特に、６つの時間セグメントに均等に分配される（表５参照）。
【００４７】
この方法は更に、低いグレイレベルに対し高い分解能を得ることを可能にする。特に、レベルＮＧ１とＮＧ２との間のスペーシングが４．９９μｓであるとき、１０ビット（６０００／４．９９）の分解能が得られる。このスペーシングを小さくすることによって、この分解能を更に増加する（３μｓのスペーシングに対し１１ビット）ことが可能である。現在用いられるコーディングでは、この分解能は、最高で９ビット（技術によって強いられる１２μｓのスペーシング）である。
【００４８】
本発明の方法を実施するために非常に多くの構造が可能である。本発明の方法を実施する装置を、図７に示す。Ｒ、Ｇ、Ｂビデオ信号のストリームが、誤差伝送回路１０及び量子化回路１１によって受信され、表示されるべきグレイレベルの数が制限される。これらの２つの回路は、「ディザリング」技術を実施することを目的とする。誤差伝送回路１０内で実施されるアルゴリズムは、例えば、フロイド（Floyd）及びシュタインベルグ（Steinberg）のアルゴリズムである。量子化の終わりにおいて、グレイレベルは、６ビットでコード化される（６１の可能なグレイレベル）。次に、信号は、より具体的には本発明の方法を実施することを目的とする回路１２によって処理される。回路１２は、入力として６ビットでコード化されたグレイレベルを受信し、出力として６０ビット（各セグメントに対し１０ビット）でコード化されたグレイレベルを供給するルックアップテーブル、即ち、ＬＵＴとして定義付けられ得る。各配分された６０ビットはバイナリプレーンを参照し、各バイナリプレーンは、サブフィールドの表示に対応する。回路１２からの出力にある６０ビットでコード化されたグレイレベルは、時間セグメントを参照する１０ビットのうち１つが値を変更すると、このセグメントの次のビットは、この値を維持する点で本発明に従う。６０ビットでコード化されたグレイレベルは、次に、画像メモリ１３内に格納され、各ビットは、バイナリプレーン専用のメモリ領域内に格納される。これらのバイナリプレーンは、次に、ＤＭＤマトリクス１４によって読出しされる。このスキームは、例示的に与えられているに過ぎない。
【００４９】
本発明は、デジタルマイクロミラーマトリクスを含むデジタルディスプレイ装置の枠内で説明した。本発明は、このタイプの装置に制限されるものではない。本発明は、例えば、ＬＣＯＳ型のデジタルディスプレイといったマイクロミラーと同じ様な特性を示す他の表示手段にも用い得る。
【図面の簡単な説明】
【００５０】
【図１】パルス継続時間変調電化製品用のビデオフレームにおけるサブフィールドの例示的な配置を示す図である。
【図２】２つの連続画像間を移行部が動くときに存在する偽輪郭影響の現象を示す図である。
【図３】偽輪郭影響の現象を制限する既知の解決策を示す図である。
【図４】単一のデジタルマイクロミラーマトリクスを有する電化製品におけるカラー画像の表示のための従来のビデオフレームを示す図である。
【図５】本発明の方法の例示的な実施例における各グレイレベルに対する照明時間を表すグラフである。
【図６】本発明の方法の例示的な実施例に対する各色の第１のセグメントにおけるサブフィールドの配置を示す図である。
【図７】本発明の方法を実施する例示的な装置を示す図である。
【図１】
2005527843.tif 000009
【図２】
2005527843.tif 000010
【図３】
2005527843.tif 000011
【図５】
2005527843.tif 000012
【図６】
2005527843.tif 000013
【図７】
2005527843.tif 000014
【図４】
2005527843.tif 000015
【手続補正書】
【提出日】平成16年6月1日(2004.6.1)
【手続補正１】
【補正対象書類名】特許請求の範囲
【補正対象項目名】全文
【補正方法】変更
【補正の内容】
【特許請求の範囲】
【請求項１】
グレイレベルを表示するために少なくとも２つの別個の時間セグメントを含む１ビデオフレームの間に、デジタルディスプレイ装置上でビデオ画像を表示する方法において、
前記デジタルディスプレイ装置は、複数のセルを含み、
各セルは、選択的に、オン状態又はオフ状態をとることができ、
各セルは更に、１ビデオフレームの間に、数回状態を変更することができ、
各時間セグメントは、サブフィールドと称し、異なる継続時間の複数の連続サブ期間を含み、
各サブフィールドの間に、各セルは、オン状態か又はオフ状態にある、方法であって、
各セルは、前記ビデオフレームの各時間セグメントの間に多くとも１回状態を変更することを特徴とする方法。
【請求項２】
ビデオ画像の表示は、それぞれ赤、緑、及び青色の３つの画像を連続表示することによって行われ、
前記ビデオフレームは、各色に対し少なくとも２つの非連続時間セグメントを含むことを特徴とする請求項１記載の方法。
【請求項３】
同じ色に対し、前記少なくとも２つの時間セグメントは、異なる複数のサブフィールドを含むことを特徴とする請求項２記載の方法。
【請求項４】
各色に対し、前記少なくとも２つの時間セグメントの前記サブフィールドの継続時間は、前記セルのオン状態の継続時間が、逆ガンマ補正曲線に応じて増加するよう決定されることを特徴とする請求項１乃至３のうちいずれか一項記載の方法。
【請求項５】
各時間セグメントの前記サブフィールドの全継続時間は、前記少なくとも２つの時間セグメント全てに共通の所定値と実質的に等しいことを特徴とする請求項１乃至４のうちいずれか一項記載の方法。
【請求項６】
グレイレベルを表示するために少なくとも２つの別個の時間セグメントを含む１ビデオフレームの間にビデオ画像をデジタル表示する装置において、
前記デジタルディスプレイ装置は、複数のセルを含み、
各セルは、選択的に、オン状態又はオフ状態をとることができ、
各セルは更に、１ビデオフレームの間に、数回状態を変更することができ、
各時間セグメントは、サブフィールドと称し、異なる継続時間の複数の連続サブ期間を含み、
各サブフィールドの間に、各セルは、オン状態か又はオフ状態である、装置であって、
前記装置は、前記ビデオフレームの各時間セグメントの間に多くとも１回前記セルの状態を変更させる手段を含むことを特徴とする装置。
【請求項７】
それぞれ赤、緑、及び青色の３つの画像を連続表示する手段を含み、
前記ビデオフレームは、各色に対し少なくとも２つの非連続時間セグメントを含むことを特徴とする請求項６記載の装置。
【請求項８】
前記装置は、マイクロミラーのデジタルマトリクスを含み、前記装置の各セルは、１マイクロミラーに関連付けられ、
前記装置の前記セルは、前記関連付けられるマイクロミラーが前記装置のスクリーンへの光の投写に寄与するアクティブ位置にあるときに、オン状態にあり、前記関連付けられるマイクロミラーが前記スクリーンへの前記光の投写を阻止するパッシブ位置にあるときに、オフ状態にあることを特徴とする請求項６又は７記載の装置。
【国際調査報告】
2005527843.tif 000016
2005527843.tif 000017
2005527843.tif 000018
2005527843.tif 000019
2005527843.tif 000020
2005527843.tif 000021